(57)【要約】【課題】スピニングリールのリール本体において、リール本体を大型化することなく、安価な構成でリール本体を形成できるようにする。【解決手段】スピニングリールのリールボディ２ａは、後端部に形成された第１開口部２ｃと、第１開口部２ｃの周囲に形成された装着部２ｄとを有している。装着部２ｄには、第１カバー部材４０及び第２カバー部材５０が選択的にリールボディ２ａの装着部２ｄに連なる部分と滑らかに連設して装着されている。第１カバー部材４０は第１開口部２ｃを閉塞するように装着され、第２カバー部材５０のリアドラグ収納部５０ｄにはリアドラグ機構が装着される。【選択図】      図３
2005000105.tif 000002
【特許請求の範囲】
【請求項１】
釣竿に装着され、リアドラグ機構が設けられ、かつ前方に釣り糸を繰り出し可能なスピニングリールのリール本体であって、
前記釣竿に装着される竿取付脚部と、
前記竿取付脚部と連設され、後端部に第１開口部が形成されるとともに、前記第１開口部の周囲に形成された装着部を有するリールボディと、
前記リールボディに連なる部分と滑らかに連設して前記装着部に装着され、前記第１開口部と連通する内部空間に前記リアドラグ機構が装着されるリアドラグ収納部を有するカバー部材と、
を備えた、スピニングリールのリール本体。
【請求項２】
前記カバー部材は、前記リアドラグ収納部の後端部に形成された第２開口部をさらに有している、請求項１に記載のスピニングリールのリール本体。
【請求項３】
前記カバー部材は、前記リールボディに弾性圧入係合されている、請求項１又は２に記載のスピニングリールのリール本体。
【請求項４】
前記カバー部材は、前記リールボディにねじ止め固定されている、請求項１又は２に記載のスピニングリールのリール本体。
【請求項５】
前記リアドラグ収納部は、後方に突出するように円筒状に一体成形されている、請求項１から４のいずれかに記載のスピニングリールのリール本体。
【請求項６】
前記リアドラグ機構は、内周部に雌ねじ部が形成されたドラグつまみを有しており、
前記リアドラグ収納部は、外周部に前記雌ねじ部が螺合可能な雄ねじ部が形成されている、請求項５に記載のスピニングリールのリール本体。
【請求項７】
釣竿に装着され、フロントドラグ機構及びリアドラグ機構のいずれかが設けられ、かつ前方に釣り糸を繰り出し可能なスピニングリールのリール本体であって、
前記釣竿に装着される竿取付脚部と、
前記竿取付脚部と連設され、後端部に第１開口部が形成されるとともに、前記第１開口部の周囲に装着部が形成されたリールボディとを備え、
前記装着部には、前記リールボディの前記装着部に連なる部分と滑らかに連設して装着される第１カバー部材及び第２カバー部材が選択的に装着可能であり、
前記第１カバー部材は、前記フロントドラグ機構が設けられる際、前記第１開口部を閉塞するように装着され、
前記第２カバー部材は、前記第１開口部と連通する内部空間に前記リアドラグ機構が装着されるリアドラグ収納部を有している、スピニングリールのリール本体。
【請求項８】
釣竿に装着され、リアドラグ機構が設けられ、後端部に第１開口部が形成されるとともに、前記第１開口部の周囲に装着部が形成されたスピニングリールのリール本体に装着されるスピニングリールのカバー部材であって、
前記リールボディに連なる部分と滑らかに連設して前記装着部に装着され、前記第１開口部と連通する内部空間に前記リアドラグ機構が装着されるリアドラグ収納部を有している、スピニングリールのカバー部材。
【発明の詳細な説明】
【０００１】
【発明の属する技術分野】
本発明は、リール本体、特に、スピニングリールのリール本体及びそのカバー部材に関する。
【０００２】
【従来の技術】
スピニングリールは、一般に、釣竿に装着されるリール本体と、リール本体に回転自在に取り付けられたハンドルと、リール本体に回転自在に装着されたロータと、ロータの前方でリール本体に前後移動自在に装着され、ロータによって案内された釣り糸が外周に巻き付けられるスプールとを有している。
【０００３】
リール本体は、釣竿に装着されるＴ字状の竿取付脚部と、竿取付脚部と一体成形され、内部に各種の機構が収納されるリールボディとを備えている。リールボディは、側部が開口する収納空間を内部に有する本体部材と、本体部材の開口を覆うように着脱自在に本体部材に装着された蓋部材とを有している。
このようなスピニングリールには、スプールの回転を制動するためのドラグ機構が設けられている。この種のドラグ機構は、スプール軸の前部に配置されるフロントドラグ機構と、スプール軸の後部に配置されるリアドラグ機構とが知られている。フロントドラグ機構はスプール内に装着され、リアドラグ機構はリール本体後部に装着される。
【０００４】
このようなリアドラグ機構が装着されるスピニングリールでは、リール本体は、リアドラグ機構を操作するための円筒状のドラグつまみの外形に合わせるために、後方に突出するように円筒状に一体成形されている（たとえば、特許文献１参照）。リール本体の後部に円筒状のリアドラグ収納部を形成することにより、内部にリアドラグ機構の各種機構を収納でき、かつドラグつまみの外形に合わせることができる。
【０００５】
【特許文献１】
特開平９−３１３０７９号公報
【０００６】
【発明が解決しようとする課題】
前記従来のリアドラグ機構が設けられるスピニングリールでは、リール本体の後部にリアドラグ収納部はリール本体の後部に突出した円筒状に形成されている。このため、リールボディは全体として複雑な形状となるので、リールボディの本体部と円筒状のリアドラグ収納部とを一体成形するには、特殊な金型を用いる必要が生じる。すると、リールボディの形成に手間が掛かるとともに、製造コストの増加を招くおそれが生じる。
【０００７】
そこで、リールボディの本体部と円筒状のリアドラグ収納部とを別体で形成することが考えられる。ここでは、リールボディの本体部と円筒状のリアドラグ収納部とを別々に形成した後、本体部の後部に係止部を形成し、この係止部に円筒状のリアドラグ収納部を係止して装着固定している。このようにリールボディの本体部と円筒状のリアドラグ収納部とを別々に形成することにより、特殊な金型を用いることなく、リールボディを容易に形成することができる。
【０００８】
また、このようなスピニングリールでは、さらに意匠性を向上させるために、リール本体の後部に一部が凹んだ装着部を形成し、この装着部にリールボディに連なる部分と滑らかに連設して装着可能なカバー部材を設けることが考えられる。このようなカバー部材は、後部に円筒状の開口部を有しており、この開口部からリールボディの後端に別体の円筒状のリアドラグ収納部が装着される。
【０００９】
このような、カバー部材が装着されるスピニングリールでは、リールボディには、カバー部材及び円筒状のリアドラグ収納部を係止するための複数の係止部が形成されている。このため、このスピニングリールでは、リールボディは複数の係止部を有しているので、複数の係止部を設けるためにリール本体の大型化を招くおそれがある。
【００１０】
本発明の課題は、スピニングリールのリール本体において、リール本体を大型化することなく、安価な構成でリール本体を形成できるようにすることにある。
【００１１】
【課題を解決するための手段】
発明１に係るスピニングリールのリール本体は、釣竿に装着され、リアドラグ機構が設けられ、かつ前方に釣り糸を繰り出し可能なスピニングリールのリール本体であって、釣竿に装着される竿取付脚部と、竿取付脚部と連設され後端部に第１開口部が形成されるとともに第１開口部の周囲に形成された装着部を有するリールボディと、リールボディに連なる部分と滑らかに連設して装着部に装着され第１開口部と連通する内部空間にリアドラグ機構が装着されるリアドラグ収納部を有するカバー部材とを備えている。
【００１２】
このリール本体では、カバー部材は、リアドラグ機構が設けられるリアドラグ収納部を有している。ここでは、リアドラグ収納部がリールボディと別体で形成されているので、特殊な金型を用いることなく、リールボディを容易に形成することができる。また、リアドラグ機構はリアドラグ収納部に設けられているので、従来のようにリールボディの後部にリアドラグ機構を装着する必要がなくなり、このためリールボディにリアドラグ機構を係止するための係止部を設ける必要がなくなる。したがって、リール本体を大型化することなく、安価な構成でリール本体を形成できる。
【００１３】
発明２に係るリール本体は、発明１のリール本体において、カバー部材は、リアドラグ収納部の後端部に形成された第２開口部をさらに有している。この場合、第２開口部からリアドラグ機構の各種機構の少なくとも一部を装着できる。
発明３に係るリール本体は、発明１又は２のリール本体において、カバー部材は、リールボディに弾性圧入係合されている。この場合、カバー部材の装着が容易になる。
【００１４】
発明４に係るリール本体は、発明１又は２のリール本体において、カバー部材は、リールボディにねじ止め固定されている。この場合、カバー部材の着脱が容易かつ確実になる。
発明５に係るリール本体は、発明１から４のいずれかのリール本体において、リアドラグ収納部は、後方に突出するように円筒状に一体成形されている。この場合、リアドラグ収納部は後方に突出するように円筒状に形成されているので、リアドラグ機構の装着が容易になるとともに、カバー部材の構成が簡素になる。
【００１５】
発明６に係るリール本体は、発明５のリール本体において、リアドラグ機構は、内周部に雌ねじ部が形成されたドラグつまみを有している。リアドラグ収納部は、外周部に雌ねじ部が螺合可能な雄ねじ部が形成されている。この場合、カバー部材のリアドラグ収納部の雄ねじ部に、リアドラグ機構の雌ねじ部を螺合させることにより、リアドラグ機構を容易かつ確実に着脱できる。
【００１６】
発明７に係るリール本体は、釣竿に装着され、フロントドラグ機構及びリアドラグ機構のいずれかが設けられ、かつ前方に釣り糸を繰り出し可能なスピニングリールのリール本体であって、釣竿に装着される竿取付脚部と、竿取付脚部と連設され後端部に第１開口部が形成されるとともに第１開口部の周囲に装着部が形成されたリールボディとを備えている。装着部には、リールボディの装着部に連なる部分と滑らかに連設して装着される第１カバー部材及び第２カバー部材が選択的に装着可能である。第１カバー部材は、フロントドラグ機構が設けられる際、第１開口部を閉塞するように装着される。第２カバー部材は、第１開口部と連通する内部空間にリアドラグ機構が装着されるリアドラグ収納部を有している。
【００１７】
このリール本体では、フロントドラグ機構が設けられるときは装着部に第１カバー部材が装着され、リアドラグ機構が設けられるときは装着部に第２カバー部材が装着され、第２カバー部材のリアドラグ収納部にリアドラグ機構が装着される。ここでは、第２カバー部材は、リアドラグ機構が設けられるリアドラグ収納部を有しているので、発明１と同様に、リール本体を大型化することなく、安価な構成でリール本体を形成できる。
【００１８】
発明８に係るスピニングリールのカバー部材は、釣竿に装着され、リアドラグ機構が設けられ、後端部に第１開口部が形成されるとともに、第１開口部の周囲に装着部が形成されたスピニングリールのリール本体に装着されるスピニングリールのカバー部材であって、リールボディに連なる部分と滑らかに連設して装着部に装着され、第１開口部と連通する内部空間にリアドラグ機構が装着されるリアドラグ収納部を有している。この場合、カバー部材は、リアドラグ機構が設けられるリアドラグ収納部を有しているので、発明１と同様に、リール本体を大型化することなく、安価な構成でリール本体を形成できる。
【００１９】
【発明の実施の形態】
本発明の一実施形態を採用したスピニングリールは、図１に示すフロントドラグ型のものと、図２に示すリアドラグ型のものとでリール本体２を共通化したリールであって、それぞれ後述する第１カバー部材４０（図１参照）及び第２カバー部材５０（図２参照）が選択的に装着される。
【００２０】
フロントドラグ型のスピニングリールは、図１に示すように、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。
【００２１】
リール本体２は、リールボディ２ａと、リールボディ２ａから斜め上前方に延びる竿取付脚２ｂとを有している。リールボディ２ａは、内部に各種の機構が収納される図示しない空間を有している。
ロータ３は、図１に示すように、円筒部３０と、円筒部３０の側方に互いに対向して設けられた第１及び第２ロータアーム３１、３２とを有している。
【００２２】
スプール４は、ロータ３の第１ロータアーム３１と第２ロータアーム３２との間に配置されており、スプール軸１５の先端にフロントドラグ機構６０を介して装着されている。
フロントドラグ機構６０は、図１に示すように、スプール４とスプール軸１５との間に装着され、スプール４にドラグ力を作用させるための機構である。フロントドラグ機構６０は、ドラグ力を手で調整するためのつまみ部６１と、つまみ部６１によりスプール４側に押圧される複数枚のディスクからなる摩擦部６２とを有している。
【００２３】
リールボディ２ａは、図１及び図３〜図５に示すように、後端部に形成された第１開口部２ｃと、第１開口部２ｃの周囲に第１開口部２ｃに向かって外形が先細り形状に形成された装着部２ｄとを有している。装着部２ｄには、第１カバー部材４０がリールボディ２ａの装着部２ｄに連なる部分と滑らかに連設して装着されている。
【００２４】
装着部２ｄは、図３〜図５に示すように、リールボディ２ａより一段低くなるように段差部分が形成されており、この段差部分に第１カバー部材４０が装着される。第１カバー部材４０を装着したとき、第１カバー部材４０の外径はリールボディ２ａと滑らかに連設するように面一になっている。装着部２ｄの上部には、図３及び図４に示すように、第１カバー部材４０をねじ部材４１（図１参照）によってねじ止め固定するための孔部２ｅが形成されている。装着部２ｄの下部には、図３及び図５に示すように、第１カバー部材４０をねじ部材４２（図１参照）によってねじ止め固定するための孔部２ｆが形成されている。
【００２５】
第１カバー部材４０は、図１及び図３〜図５に示すように、第１開口部２ｃを閉塞するように装着され、後端部の先鋭部分は僅かに丸められた形状となっている。第１カバー部材４０は、外形がリールボディ２ａに沿って先細り形状に形成されており、第１カバー部材４０を装着部２ｄにしたとき、リールボディ２ａから第１カバー部材４０に向かって滑らかに連設している。また、第１カバー部材４０の上部と下部には、図３〜図５に示すようにねじ部材４１、４２が装着される貫通孔４０ａ、４０ｂが形成されている。
【００２６】
このフロントドラグ型のスピニングリールを組み立てるには、まずフロントドラグ機構６０等の各種の機構を組み込む。そして、装着部２ｄに第１カバー部材４０を装着し、ねじ部材４１、４２を貫通孔４０ａ、４０ｂを通して孔部２ｅ、２ｆに取り付けることにより、第１カバー部材４０をリールボディ２ａに固定している。ここでは、後端部の外形を先細り形状に維持したまま、第１開口部２ｃを閉塞できる。
【００２７】
一方、リアドラグ型のスピニングリールは、図２に示すように、ハンドル１０１を回転自在に支持するリール本体２と、ロータ１０３と、スプール１０４とを備えている。ロータ１０３は、リール本体２の前部に回転自在に支持されている。スプール１０４は、釣り糸を外周面に巻き取るものであり、ロータ１０３の前部に前後移動自在に配置されている。
【００２８】
リール本体２は、リールボディ２ａと、リールボディ２ａから斜め上前方に延びる竿取付脚２ｂとを有している。リールボディ２ａは、内部に各種の機構が収納される図示しない空間を有している。
ロータ１０３は、円筒部１３０と、円筒部１３０の側方に互いに対向して設けられた第１及び第２ロータアーム１３１、１３２とを有している。
【００２９】
スプール１０４は、ロータ１０３の第１ロータアーム１３１と第２ロータアーム１３２との間に配置されている。
リールボディ２ａは、図２及び図３〜図５に示すように、後端部に形成された第１開口部２ｃと、第１開口部２ｃの周囲に第１開口部２ｃに向かって外形が先細り形状に形成された装着部２ｄとを有している。装着部２ｄには、第２カバー部材５０がリールボディ２ａと滑らかに連設して装着されている。第２カバー部材５０の後端部には、リアドラグ機構７０が装着されている。
【００３０】
リアドラグ機構７０は、図２に示すように、スプール軸１１５の後端部に回転不能、かつ軸方向移動自在に連結されており、スプール軸１１５を介してスプール１０４の糸繰り出し方向の回転を制動するものである。リアドラグ機構７０は、内周部に形成された雌ねじ部７０ａと、ドラグ力を手で調整するための筒状のつまみ部７１を有している。リアドラグ機構７０は、スプール軸１１５に回転不能にかつ摺動自在に装着される円筒状のブッシュ７２と、ブッシュ７２のフランジ部分に押圧され複数の摩擦プレートからなる摩擦部７３とを主に有している。ここでは、つまみ部７１を回転させると、摩擦部７３がブッシュ７２に押圧され、これによりドラグ力を調整できる。
【００３１】
装着部２ｄは、図３〜図５に示すように、リールボディ２ａより一段低くなるように段差部分が形成されており、この段差部分に第２カバー部材５０が装着される。第２カバー部材５０を装着したとき、第２カバー部材５０の外径はリールボディ２ａと滑らかに連設するように面一になっている。装着部２ｄの上部には、図３及び図４に示すように、第２カバー部材５０をねじ部材５１（図２参照）によってねじ止め固定するための孔部２ｅが形成されている。装着部２ｄの下部には、図３及び図５に示すように、第２カバー部材５０をねじ部材５２（図２参照）によってねじ止め固定するための孔部２ｆが形成されている。
【００３２】
第２カバー部材５０は、図２及び図３〜図５に示すように、後端部に第１開口部２ｃと連通する第２開口部５０ａと、第２開口部から内部にリアドラグ機構７０が装着されるリアドラグ収納部５０ｄとを有している。
第２開口部５０ａは、図４に示すように、断面形状が円形になっており、リアドラグ機構７０のつまみ部７１の断面形状と略同一になっている。また、第２カバー部材５０の上部と下部には、図３〜図５に示すようにねじ部材５１、５２が装着される貫通孔５０ｂ、５０ｃが形成されている。リアドラグ収納部５０ｄは、図２及び図３〜図５に示すように、後方に突出するように円筒状に一体成形されている。リアドラグ収納部５０ｄの外周には、リアドラグ機構７０の雌ねじ部７０ａが螺合する雄ねじ部５０ｅが形成されている。
【００３３】
このリアドラグ型のスピニングリールを組み立てるには、スプール軸１１５を第１開口部２ｃから外部に突出させた状態で装着部２ｄに第２カバー部材５０を装着し、ねじ部材５１、５２を貫通孔５０ｂ、５０ｃを通して孔部２ｅ、２ｆに取り付けることにより、第２カバー部材５０をリールボディ２ａに固定している。そして、スプール軸１１５を第２カバー部材５０の第２開口部５０ａから外部に突出させた状態で、第２開口部５０ａを閉塞するように第２カバー部材５０のリアドラグ収納部５０ｄにリアドラグ機構７０を装着する。ここでは、後端部の外形が円筒状になっているので、リアドラグ機構７０のつまみ部７１の外形に合わせることができる。
【００３４】
このようなスピニングリールでは、フロントドラグ機構６０が設けられるときは、図１に示すように、外形が先細り形状に形成された装着部２ｄに第１カバー部材４０が装着される。一方、リアドラグ機構７０が設けられるときは、図２に示すように、装着部２ｄに第２カバー部材５０が装着され第２カバー部材５０のリアドラグ収納部５０ｄにリアドラグ機構７０が装着される。ここでは、リアドラグ機構７０は、リール本体２と別体の第２カバー部材５０のリアドラグ収納部５０ｄに装着されているので、従来のようにリール本体２の後部にリアドラグ機構７０を装着する必要がなくなる。したがって、リール本体２の後部にリアドラグ機構７０を係止するための係止部を設ける必要がなくなるので、リール本体２を大型化することなく、安価な構成でリール本体２を形成できる。
【００３５】
〔他の実施形態〕
（ａ）  前記実施形態では、第１カバー部材４０及び第２カバー部材５０は、ねじ部材４１、４２及びねじ部材５１、５２によってリールボディ２ａに固定されていたが、固定方法はこれに限定されず、たとえば第１カバー部材４０及び第２カバー部材５０をリールボディ２ａに弾性圧入係合してもよい。
【００３６】
（ｂ）  前記実施形態では、第１カバー部材４０は外形がリールボディ２ａに沿って先細り形状に形成されていたが、第１カバー部材４０の外形はこれに限定されない。また、装着部２ｄの形状も後端に向かって先細り形状に形成されていれば任意の形状に形成でき、これに合わせて第１カバー部材４０及び第２カバー部材５０も任意の形状に形成できる。
【００３７】
（ｃ）  前記実施形態では、リアドラグ収納部５０ｄの外周にリアドラグ機構７０の雌ねじ部７０ａが螺合する雄ねじ部５０ｅを形成していたが、リアドラグ機構７０の装着方法はこれに限定されるものではない。
（ｄ）  前記実施形態では、フロントドラグ機構６０が設けられるときは第１カバー部材４０が装着され、リアドラグ機構７０が設けられるときは第２カバー部材５０が装着されていたが、リール本体２を共通化せず、第２カバー部材５０のみ装着される構成にしてもよい。
【００３８】
（ｅ）  前記実施形態では、第１カバー部材４０及び第２カバー部材５０は、リールボディ２ａ全体を覆っていたが、リールボディ２ａが側部が開口し各種の機構を収納する本体部材と、本体部材の開口を閉塞する蓋部材とを有している場合、本体部材のみ第１カバー部材４０及び第２カバー部材５０で覆う構成にしてもよい。また、このとき蓋部材側には第１カバー部材４０及び第２カバー部材５０の外形と連続するようなカバー部材をさらに設ける構成にしてもよい。
【００３９】
【発明の効果】
本発明によれば、スピニングリールのリール本体において、リアドラグ機構はカバー部材のリアドラグ収納部に装着されているので、リール本体を大型化することなく、安価な構成でリール本体を形成できる。
【図面の簡単な説明】
【図１】本発明の一実施形態によるフロントドラグ機構を装着したスピニングリールの側面図。
【図２】本発明の一実施形態によるリアドラグを装着したスピニングリールの側面図。
【図３】前記スピニングリールの後端部の拡大分解側面図。
【図４】前記スピニングリールの後端部の拡大分解背面図。
【図５】前記スピニングリールの後端部の拡大分解底面図。
【符号の説明】
２  リール本体
２ａ  リールボディ
２ｂ  竿取付脚
２ｃ  第１開口部
２ｄ  装着部
４０  第１カバー部材
４１、４２  ねじ部材
５０  第２カバー部材
５０ａ  第２開口部
５０ｄ  リアドラグ収納部
５０ｅ  雄ねじ部
５１、５２  ねじ部材
６０  フロントドラグ機構
７０  リアドラグ機構
７０ａ  雌ねじ部
【図１】
2005000105.tif 000003
【図２】
2005000105.tif 000004
【図３】
2005000105.tif 000005
【図４】
2005000105.tif 000006
【図５】
2005000105.tif 000007